(57)【要約】【課題】車両から降車する際に飲料の取り忘れを防止することができるドリンクホルダ装置を提供する。【解決手段】ドリンクホルダ装置は、座席に設置され、座席の重量変化を検出可能な重量センサと、座席に隣接するドアに設置され、ドアの開閉を検知可能なドアスイッチと、を備える車両のドリンクホルダ装置であって、飲料容器を収容可能なドリンクホルダと、ドリンクホルダに収容された飲料容器を収容位置と取出位置との間で昇降可能な昇降装置と、重量センサによって座席の重量変化が検出され、かつ、ドアスイッチによって座席に隣接するドアの開放が検知された場合に、ドリンクホルダに収容された飲料容器が取出位置に上昇するように昇降装置を制御する制御装置と、を備える。【選択図】  図１
2019048528.tif 000002
【特許請求の範囲】
【請求項１】
座席に設置され、座席の重量変化を検出可能な重量センサと、
前記座席に隣接するドアに設置され、前記ドアの開閉を検知可能なドアスイッチと、
を備える車両のドリンクホルダ装置であって、
飲料容器を収容可能なドリンクホルダと、
前記ドリンクホルダに収容された飲料容器を収容位置と取出位置との間で昇降可能な昇降装置と、
前記ドアスイッチによって前記座席に隣接するドアの開放が検知され、かつ、前記重量センサによって前記座席の重量変化が検出された場合に、前記ドリンクホルダに収容された飲料容器が前記取出位置に上昇するように前記昇降装置を制御する制御装置と、
を備えることを特徴とするドリンクホルダ装置。
【請求項２】
前記ドリンクホルダに収容された飲料容器を照明可能な照明装置をさらに備え、
前記制御装置は、
前記ドアスイッチによって前記座席に隣接するドアの開放が検知され、かつ、前記重量センサによって前記座席の重量変化が検出された場合に、さらに、前記ドリンクホルダに収容された飲料容器を照らすように前記照明装置を制御すること、
を特徴とする請求項１に記載のドリンクホルダ装置。
【請求項３】
前記制御装置は、
前記重量センサによって前記座席の重量変化が検出され、かつ、前記ドアスイッチによって前記座席に隣接するドアの閉鎖が検知された場合に、前記ドリンクホルダに収容された飲料容器が前記収容位置に下降するように前記昇降装置を制御すること、
を特徴とする請求項１又は２に記載のドリンクホルダ装置。
【請求項４】
前記ドリンクホルダは、エアバッグが内側に向けて膨らむエアバッグ装置を有し、
前記制御装置は、
前記ドリンクホルダに収容された飲料容器が前記収容位置に下降した後に、前記エアバッグが膨らむように前記エアバッグ装置を制御すること、
を特徴とする請求項３に記載のドリンクホルダ装置。
【請求項５】
飲料容器に入った飲料の重量を検出可能な飲料センサをさらに備え、
前記制御装置は、
前記飲料センサによって検出された飲料の重量に基づいて前記ドリンクホルダに収容された飲料容器が前記収容位置と前記取出位置との間で昇降するように前記昇降装置に制御すること、
を特徴とする請求項３に記載のドリンクホルダ装置。
【請求項６】
前記ドリンクホルダに向けて伸びる手を検出可能な動作検出センサをさらに備え、
前記制御装置は、
前記動作検出センサが前記ドリンクホルダに向けて伸びる手を検出した場合に、前記ドリンクホルダに収容された飲料容器が前記取出位置に上昇するように前記昇降装置を制御すること、
を特徴とする請求項３に記載のドリンクホルダ装置。
【請求項７】
前記制御装置は、
前記動作検出センサが前記ドリンクホルダに向けて伸びる手を検出した後に手を検出しなくなった場合に、前記ドリンクホルダに収容された飲料容器が前記収容位置に下降するように前記昇降装置を制御すること、
を特徴とする請求項６に記載のドリンクホルダ装置。
【発明の詳細な説明】
【技術分野】
【０００１】
本開示は、ドリンクホルダ装置に関する。
【背景技術】
【０００２】
特許文献１には、飲料容器を保持可能な容器保持部材および容器保持部材を上下方向に移動させる機構を有する飲料容器保持ユニットと、移動する乗員の手を検知可能な検知手段と、を備え、検知手段の検知結果に応じて容器保持部材を上下方向に移動させる車両用飲料容器ホルダが開示されている。かかる車両用飲料容器ホルダは、容器保持部材に対して飲料容器を取り出す動作または飲料容器を保持させる動作を行う際における乗員の手の移動経路上に、互いに間隔をおいて検知手段を複数設け、乗員側に位置する検知手段によって乗員の手を検知した後、所定時間以内に乗員側に位置する検知手段よりも飲料容器保持ユニット側に位置する検知手段によって乗員の手を検知した場合に、容器保持部材を上方に移動させるユニット上昇制御手段を備えている。
【０００３】
特許文献２には、自動車用内装材のドリンクホルダの照明制御システムが開示されている。かかるドリンクホルダの証明制御システムは、ドリンクホルダに物体が置かれたことを検出する検出スイッチと、検出スイッチの検出を受けて点灯と消灯とを切り替えることができる照明器具と、検出スイッチから信号を受信するとともに照明器具へ信号を送信する電子制御装置とを備えている。また、電子制御装置は、エンジンの始動動作、ドア施錠の解除動作、ドアの開放動作、又はヘッドライトもしくはフォグライトの点灯動作を受けて照明器具を点灯させる点灯手段と、自動車の走行速度が所定速度以上になった時、検出スイッチが物体を検出している場合には照明器具を点灯させたままにし、一方、検出スイッチが物体を検出していない場合には照明器具を消灯する判定手段を備えている。
【先行技術文献】
【特許文献】
【０００４】
【特許文献１】特開２０１２−２０１１８３号公報
【特許文献２】特開２０１４−０１９１８９号公報
【発明の概要】
【発明が解決しようとする課題】
【０００５】
特許文献１が開示する車両用飲料容器ホルダは、飲料を取り出す乗員の動作を検知して飲料容器を上昇させるが、乗員が車両を降りる際に飲料容器を上昇させるものではないので、乗員が降車する際に飲料の取り忘れを防止することができない。
特許文献２が開示するドリンクホルダの照明制御システムは、点灯手段がドアの開放動作を受けて照明器具を点灯させるが、ドアの開放動作だけでは乗員が降車すると判断することはできない。
【０００６】
上述の事情に鑑みて、本発明の少なくとも一実施形態は、乗員が車両から降車する際の飲料（飲料容器）の取り忘れを防止することができるドリンクホルダ装置を提供することを目的とする。
【課題を解決するための手段】
【０００７】
（１）本発明の少なくとも一実施形態に係るドリンクホルダ装置は、座席に設置され、座席の重量変化を検出可能な重量センサと、前記座席に隣接するドアに設置され、前記ドアの開閉を検知可能なドアスイッチと、を備える車両のドリンクホルダ装置であって、飲料容器を収容可能なドリンクホルダと、前記ドリンクホルダに収容された飲料容器を収容位置と取出位置との間で昇降可能な昇降装置と、前記ドアスイッチによって前記座席に隣接するドアの開放が検知され、かつ、前記重量センサによって前記座席の重量変化が検出された場合に、前記ドリンクホルダに収容された飲料容器が前記取出位置に上昇するように前記昇降装置を制御する制御装置と、を備える。
【０００８】
上記（１）の構成によれば、ドアスイッチによって座席に隣接するドアの開放が検知され、かつ、重量センサによって座席の重量変化が検出された場合に、制御装置がドリンクホルダに収容された飲料容器が取出位置に上昇するように昇降装置を制御するので、ドリンクホルダに収容された飲料容器が取出位置に上昇する。これにより、ドリンクホルダに収容された飲料容器は乗員に注目され、かつ、乗員がドリンクホルダから飲料容器（飲料）を取り出し易くなるので、乗員はドリンクホルダから飲料容器（飲料）の取り出しを忘れないですむ（取り忘れ防止）。
【０００９】
（２）幾つかの実施形態では、上記（１）の構成において、前記ドリンクホルダに収容された飲料容器を照明可能な照明装置をさらに備え、前記制御装置は、前記ドアスイッチによって前記座席に隣接するドアの開放が検知され、かつ、前記重量センサによって前記座席の重量変化が検出された場合に、さらに、前記ドリンクホルダに収容された飲料容器を照らすように前記照明装置を制御する。
上記（２）の構成によれば、ドアスイッチによって座席に隣接するドアの開放が検知され、かつ、重量センサによって座席の重量変化が検出された場合に、制御装置がドリンクホルダに収容された飲料容器を照らすように照明装置を制御するので、飲料容器は照明装置によって照らされる。これにより、ドリンクホルダに収容された飲料容器は乗員に注目され、乗員は飲料容器（飲料）の取り出しを忘れないですむ（取り忘れ防止）。
【００１０】
（３）幾つかの実施形態では、上記（１）又は（２）の構成において、前記制御装置は、前記重量センサによって前記座席の重量変化が検出され、かつ、前記ドアスイッチによって前記座席に隣接するドアの閉鎖が検知された場合に、前記ドリンクホルダに収容された飲料容器が前記収容位置に下降するように前記昇降装置を制御する。
上記（３）の構成によれば、重量センサによって座席の重量変化が検出され、かつ、ドアスイッチによって座席に隣接するドアの閉鎖が検知された場合に、制御装置がドリンクホルダに収容された飲料容器が収容位置に下降するように昇降装置を制御するので、飲料容器が収容位置に下降する。これにより、ドリンクホルダに収容された飲料容器が倒れにくくなり、飲料容器から飲料が飛び出るのを防止することができる。
【００１１】
（４）幾つかの実施形態では、上記（３）の構成において、前記ドリンクホルダは、エアバッグが内側に向けて膨らむエアバッグ装置を有し、前記制御装置は、前記ドリンクホルダに収容された飲料容器が前記収容位置に下降した後に、前記エアバッグが膨らむように前記エアバッグ装置を制御する。
上記（４）の構成によれば、飲料容器が下降した後に、制御装置は、エアバッグが膨らむようにエアバッグ装置を制御するので、ドリンクホルダに収容された飲料容器はエアバッグに拘束される。これにより、ドリンクホルダに収容された飲料容器が安定し、飲料容器から飲料が飛び出るのを確実に防止することができる。
【００１２】
（５）幾つかの実施形態では、上記（３）の構成において、飲料容器に入った飲料の重量を検出可能な飲料センサをさらに備え、前記制御装置は、前記飲料センサによって検出された飲料の重量に基づいて前記ドリンクホルダに収容された飲料容器が前記収容位置と前記取出位置との間で昇降するように前記昇降装置を制御する。
上記（５）の構成によれば、飲料センサによって検出された飲料の重量に基づいて制御装置はドリンクホルダに収容された飲料容器が収容位置と取出位置との間で昇降するように昇降装置を制御するので、飲料の重量に基づいて飲料容器が昇降する。これにより、飲料の重量による飲料容器の取り易さの差をなくすことができる。
【００１３】
（６）幾つかの実施形態では、上記（３）の構成において、前記ドリンクホルダに向けて伸びる手を検出可能な動作検出センサをさらに備え、前記制御装置は、前記動作検出センサが前記ドリンクホルダに向けて伸びる手を検出した場合に、前記ドリンクホルダに収容された飲料容器が前記取出位置に上昇するように前記昇降装置を制御する。
上記（６）の構成によれば、動作検出センサがドリンクホルダに向けて伸びる手を検出した場合に、制御装置がドリンクホルダに収容された飲料容器が取出位置に上昇するように昇降装置を制御するので、ドリンクホルダに収容された飲料容器に手が伸びると飲料容器が取出位置に上昇する。これにより、乗員がドリンクホルダから飲料容器を取り出し易くできる。
【００１４】
（７）幾つかの実施形態では、上記（６）の構成において、前記制御装置は、前記動作検出センサが前記ドリンクホルダに向けて伸びる手を検出した後に手を検出しなくなった場合に、前記ドリンクホルダに収容された飲料容器が前記収容位置に下降するように前記昇降装置を制御する。
上記（７）の構成によれば、動作センサがドリンクホルダに向けて伸びる手を検出した後に手を検出しなくなった場合に、制御装置がドリンクホルダに収容された飲料容器が前記収容位置に下降するように昇降装置を制御するので、ドリンクホルダに収容された飲料容器から手が離れると飲料容器が収容位置に下降し、飲料容器が再び倒れにくくなる。これにより、飲料容器から飲料が飛び出るのを防止することができる。
【発明の効果】
【００１５】
本発明の少なくとも一実施形態によれば、車両から降車する際の飲料容器（飲料）の取り忘れを防止することができる。
【図面の簡単な説明】
【００１６】
【図１】本発明の一実施形態に係るドリンクホルダ装置の構成を模式的に示す模式図である。
【図２】図１に示したドリンクホルダ装置の制御構成を概略的に示すブロック図である。
【図３】本発明の一実施形態に係るドリンクホルダ装置の制御内容を概略的に示すフローチャートである。
【図４】本発明の一実施形態に係るドリンクホルダ装置の制御内容を概略的に示すフローチャートである。
【図５】本発明の一実施形態に係るドリンクホルダ装置の制御内容を概略的に示すフローチャートである。
【図６】本発明の一実施形態に係るドリンクホルダ装置の制御内容を概略的に示すフローチャートである。
【図７】本発明の一実施形態に係るドリンクホルダ装置の制御内容を概略的に示すフローチャートである。
【発明を実施するための形態】
【００１７】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００１８】
図１は、本発明の一実施形態に係るドリンクホルダ装置１の構成を模式的に示す模式図である。図２は、図１に示したドリンクホルダ装置１の制御構成を概略的に示すブロック図である。図３から図７は、本発明の一実施形態に係るドリンクホルダ装置１の制御内容を概略的に示すフローチャートである。
【００１９】
図１及び図２に示すように、本発明の一実施形態に係るドリンクホルダ装置１は、座席に設置され、座席の重量変化を検出可能な重量センサＷＳと、座席に隣接するドアに設置され、ドアの開閉を検知可能なドアスイッチＤＳと、を備える車両のドリンクホルダ装置である。
【００２０】
図１に示すように、本発明の一実施形態に係るドリンクホルダ装置１は、ドリンクホルダ２、昇降装置３及び制御装置４を備えている。
ドリンクホルダ２は、飲料が入ったカップ（カップ入り飲料）、飲料が入った缶（缶入り飲料）、飲料が入ったペットボトル（ペットボトル入り飲料）等の飲料容器ＢＣが収容可能である。
ドリンクホルダ２は、ドリンクホルダ２に収容された飲料容器ＢＣを検知可能な飲料検知スイッチ２１を備えている。
【００２１】
昇降装置３は、ドリンクホルダ２に収容された飲料容器ＢＣを収容位置と取出位置との間で昇降可能である。収容位置は、飲料容器ＢＣがドリンクホルダ２に保持される位置で、車両が振動してもドリンクホルダ２から飲料容器ＢＣが飛び出ない位置であり、取出位置は、ドリンクホルダ２に収容された飲料容器ＢＣを乗員が取り出し易い位置である。昇降装置３は、例えば、底板３１と、底板３１を昇降させる作動装置３２とで構成され、作動装置３２が底板３１を昇降させることにより、ドリンクホルダ２に収容された飲料容器ＢＣが収容位置と取出位置との間で昇降される。
【００２２】
制御装置４は、ドアスイッチＤＳによって座席に隣接するドアの開放が検知され、かつ、重量センサＷＳによって座席の重量変化が検出された場合に、ドリンクホルダ２に収容された飲料容器ＢＣが取出位置に上昇するように昇降装置３を制御する。
【００２３】
図３に示すように、上述した一実施形態に係るドリンクホルダ装置１は、ドリンクホルダ２に飲料容器ＢＣが収容され、飲料検知スイッチ２１によって飲料容器ＢＣが検知されている場合に（ステップＳ１：Ｙｅｓ）、乗員が車両から降りる際にドアを開放するとともに乗員が体重を移動すると、ドアスイッチＤＳによって座席に隣接するドアの開放が検知され（ステップＳ２：Ｙｅｓ）、かつ、重量センサＷＳによって座席の重量変化が検出される（ステップＳ３：Ｙｅｓ）。そして、ドアの開放が検知され、座席の重量変化が検出されると、制御装置４は、ドリンクホルダ２に収容された飲料容器ＢＣが取出位置に上昇するように昇降装置３を制御するので、ドリンクホルダ２に収容された飲料容器ＢＣが取出位置に上昇する（ステップＳ４）。これにより、ドリンクホルダ２に収容された飲料容器ＢＣは乗員に注目され、かつ、乗員がドリンクホルダ２から飲料容器ＢＣ（飲料）を取り出し易くなるので、乗員はドリンクホルダ２から飲料容器ＢＣ（飲料）の取り出しを忘れないですむ（取り忘れ防止）。
【００２４】
このように、ドリンクホルダ２から飲料容器ＢＣ（飲料）の取り出しを忘れないことにより、飲料の置き忘れにより発生する車内への臭いの充満、飲料容器の高温高圧になることによる破損、飲料容器の破損により飛び散った内容物（飲料）による車内の汚損、飲料容器の破片による乗員の怪我、等を防止することができる。
【００２５】
図１及び図２に示すように、本発明の一実施形態に係るドリンクホルダ装置１は、照明装置５をさらに備える。照明装置５は、ドリンクホルダ２に収容された飲料容器ＢＣ（飲料）を照明可能である。本実施形態において、制御装置４は、重量センサＷＳによって座席に隣接するドアの開放が検知され、かつ、重量センサＷＳによって座席の重量変化が検出された場合に、さらに、ドリンクホルダ２に収容された飲料容器ＢＣを照明するように照明装置５を制御する。
【００２６】
図４に示すように、上述した一実施形態に係る一実施形態に係るドリンクホルダ装置１では、ドリンクホルダ２に飲料容器ＢＣが収容され、飲料検知スイッチ２１によって飲料容器ＢＣが検知されている場合に（ステップＳ１１：Ｙｅｓ）、乗員が車両から下りる際にドアを開放するとともに乗員が体重を移動すると、ドアスイッチＤＳによって座席に隣接するドアの開放が検知され（ステップＳ１２：Ｙｅｓ）、かつ、重量センサＷＳによって座席の重量変化が検出される（ステップＳ１３：Ｙｅｓ）。そして、ドアの開放が検知され、座席の重量変化が検出されると、制御装置４は、ドリンクホルダ２に収容された飲料容器ＢＣが取出位置に上昇するように制御するとともに、ドリンクホルダ２に収容された飲料容器ＢＣを照明するように照明装置５を制御するので、ドリンクホルダ２に収容された飲料容器ＢＣが取出位置に上昇するとともに（ステップＳ１４）、ドリンクホルダ２に収容された飲料容器ＢＣが照らされる（ステップＳ１５）。これにより、ドリンクホルダ２に収容された飲料容器ＢＣは乗員に注目され、かつ、乗員がドリンクホルダ２から飲料容器ＢＣ（飲料）を取り出し易くなるので、乗員はドリンクホルダ２から飲料容器ＢＣ（飲料）の取り出しを忘れないですむ（取り忘れ防止）。
【００２７】
このように、ドリンクホルダ２から飲料容器ＢＣ（飲料）の取り出しを忘れないことにより、飲料の置き忘れにより発生する車内への臭いの充満、飲料容器の高温高圧になることによる破損、飲料容器の破損により飛び散った内容物（飲料）による車内の汚損、飲料容器の破片による乗員の怪我、等を防止することができる。
【００２８】
そして、乗員が飲料容器ＢＤを取り出すと、飲料検知スイッチ２１が飲料容器ＢＤを検出できなくなるので、制御装置４は照明を消灯するように照明装置５を制御するこれにより、照明装置５は照明を消灯する（ステップＳ１７）。
また、乗員が飲料容器ＢＤを取り出さずにドアを閉鎖した場合には、ドアスイッチＤＳによってドアの閉鎖が検知されるので（ステップＳ１８：Ｙｅｓ）、制御装置４は照明を消灯するように照明装置５を制御する。これにより、照明装置５は照明を消灯する（ステップＳ１７）。
【００２９】
本発明の一実施形態に係るドリンクホルダ装置１では、制御装置４は、重量センサＷＳによって座席の重量変化が検出され、ドアスイッチＤＳによって座席に隣接するドアの閉鎖が検知された場合に、ドリンクホルダ２に収容された飲料容器ＢＣが収容位置に下降させるように昇降装置３を制御する。
【００３０】
図５に示すように、上述した一実施形態に係るドリンクホルダ装置１では、ドリンクホルダ２に飲料容器ＢＣが収容され、飲料検知スイッチ２１によって飲料容器ＢＣが検知されている場合に（ステップＳ２１：Ｙｅｓ）、乗員が車両に乗る際に乗員が体重を移動するとともにドアを閉鎖すると、重量センサＷＳによって座席の重量変化が検出され（ステップＳ２２：Ｙｅｓ）、かつ、ドアスイッチＤＳによって座席に隣接するドアの閉鎖が検知される（ステップＳ２３：Ｙｅｓ）。そして、座席の重量変化が検出され、ドアの閉鎖が検知されると、制御装置４は、ドリンクホルダ２に収容された飲料容器ＢＣが収容位置に下降するように昇降装置３を制御するので、ドリンクホルダ２に収容された飲料容器ＢＣが収容位置に下降する（ステップＳ２４）。これにより、ドリンクホルダ２に収容された飲料容器ＢＣは倒れにくくなり、飲料容器ＢＣから飲料が飛び出すのを防止することができる。
【００３１】
図１及び図２に示すように、本発明の一実施形態に係るドリンクホルダ装置１では、ドリンクホルダ２はエアバッグ（袋体）６１が内側に向けて膨らむエアバッグ装置６を有している。エアバッグ装置６は、例えば、エアバッグ６１とエアバッグ６１を膨らませる空気源（図示せず）とを有し、エアバッグ６１はドリンクホルダ２の内側に配置され、空気源がエアバッグ６１を膨らませることによってドリンクホルダ２に収容された飲料容器ＢＣを拘束するようになっている。本実施形態において、制御装置４は、飲料容器ＢＣが下降した後にエアバッグが膨らむようにエアバッグ装置６を制御する。
【００３２】
上述した一実施形態に係るドリンクホルダ装置１は、飲料容器ＢＣが下降した後に、制御装置４はエアバッグ６１が膨らむように、エアバッグ装置６を制御するので、ドリンクホルダ２に収容された飲料容器ＢＣはエアバッグ６１に拘束される。これにより、ドリンクホルダ２に収容された飲料容器ＢＣが安定し、飲料容器ＢＣから飲料が飛び出るのを確実に防止することができる。
【００３３】
本発明の一実施形態に係るドリンクホルダ装置１は、飲料容器ＢＣに入った飲料の重量を検出可能な飲料センサ７をさらに備えている。本実施形態において、制御装置４は、飲料センサ７によって検出された飲料の重量に基づいてドリンクホルダ２に収容された飲料容器ＢＣが収容位置と取出位置との間で昇降するように昇降装置３に指示を与える。例えば、制御装置４は、飲料センサ７によって検出された飲料の重量が所定値（閾値）よりも重い場合にドリンクホルダ２に収容された飲料容器ＢＣが所定位置よりも上昇することで飲料容器ＢＣを取り出し易くし、所定値（閾値）よりも軽い場合にドリンクホルダ２に収容された飲料容器ＢＣが所定位置よりも下降することで飲料容器ＢＣがドリンクホルダ２から脱落しにくくする。
【００３４】
図６に示すように、上述した一実施形態に係るドリンクホルダ装置１は、ドリンクホルダ２に飲料容器ＢＣが収容され、飲料検知スイッチ２１によって飲料容器ＢＣが検知されている場合に（ステップＳ３１：Ｙｅｓ）、飲料センサ７によって飲料の重量を検出する（ステップＳ３２）。そして、飲料センサ７によって検出された飲料の重量に基づいて制御装置４はドリンクホルダ２に収容された飲料容器ＢＣが昇降するように昇降装置３を制御するので、飲料の重量に基づいて飲料容器ＢＣが昇降する（ステップＳ３３）。これにより、飲料の重量による飲料容器ＢＣの取り易さの差をなくすことができる。
【００３５】
図１及び図２に示すように、本発明の一実施形態に係るドリンクホルダ装置１は、ドリンクホルダ２に向けて伸びる手を検出可能な動作検出センサ８をさらに備えている。本実施形態において、制御装置４は、動作検出センサ８がドリンクホルダ２に向けて伸びる手を検出した場合に、ドリンクホルダ２に収容された飲料容器ＢＣが取出位置に上昇するように昇降装置３を制御する。
【００３６】
図７に示すように、上述した一実施形態に係るドリンクホルダ装置１では、ドリンクホルダ２に飲料容器ＢＣが収容され、飲料検知スイッチ２１によって飲料容器ＢＣが検知されている場合に（ステップＳ４１：Ｙｅｓ）、動作検出センサ８がドリンクホルダ２に向けて伸びる手を検出すると（ステップＳ４２：Ｙｅｓ）、制御装置４は、ドリンクホルダ２に収容された飲料容器ＢＣが上昇するように昇降装置３を制御するので、飲料容器ＢＣに手が伸びると飲料容器ＢＣが取出位置に上昇する（ステップＳ４３）。これにより、乗員がドリンクホルダ２から飲料容器ＢＣを取り出し易くできる。
【００３７】
本発明の一実施形態に係るドリンクホルダ装置１では、制御装置４は、動作検出センサ８がドリンクホルダ２に向けて伸びる手を検出した後に手を検出しなくなった場合に、ドリンクホルダ２に収容された飲料容器ＢＣが収容位置に下降するように昇降装置３を制御する。
【００３８】
図７に示すように、上述した一実施形態に係るドリンクホルダ装置１では、ドリンクホルダ２に飲料容器ＢＣが収容され、飲料検知スイッチ２１によって飲料容器ＢＣが検知されている場合に（ステップＳ４４：Ｙｅｓ）、動作検出センサ８がドリンクホルダ２に向けて伸びる手を検出した後に手を検出しなくなると（ステップＳ４５：Ｎｏ）、制御装置４がドリンクホルダ２に収容された飲料容器ＢＣが下降するように昇降装置３を制御するので、ドリンクホルダ２に収容された飲料容器ＢＣから手が離れると飲料容器ＢＣが下降する（ステップＳ４６）。これにより、飲料容器ＢＣが再び倒れにくくなり、飲料容器ＢＣから飲料が飛び出るのを防止することができる。
【００３９】
本発明は上述した実施形態に限定されることはなく、上述した実施形態に変形を加えた形態や、これらの形態を適宜組み合わせた形態も含む。
【符号の説明】
【００４０】
１    ドリンクホルダ装置
２    ドリンクホルダ
２１    飲料検知スイッチ
３    昇降装置
３１    底板
３２    作動装置
４    制御装置
５    照明装置
６    エアバッグ装置
６１    エアバッグ（袋体）
７    飲料センサ
８    動作検出センサ
ＷＳ    重量センサ
ＤＳ    ドアスイッチ
ＢＣ    飲料容器
【図１】
2019048528.tif 000003
【図２】
2019048528.tif 000004
【図３】
2019048528.tif 000005
【図４】
2019048528.tif 000006
【図５】
2019048528.tif 000007
【図６】
2019048528.tif 000008
【図７】
2019048528.tif 000009